【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
歯科処置剤（ＤＣＡ）を口の領域に選択的に適用するために１つ以上のプロセッサによって実行されるコンピュータ実装方法であって、前記方法は、
前記１つ以上のプロセッサによって、前記口の領域の画像を受信することと、
前記画像内の着目特徴を識別することと、
前記１つ以上のプロセッサによって、前記着目特徴の実際の反射率および実際のトポロジを決定することと、
前記１つ以上のプロセッサによって、前記着目特徴の所望の反射率および所望のトポロジを決定することと、
前記１つ以上のプロセッサによって、前記実際の反射率を前記所望の反射率と比較することおよび前記実際のトポロジを前記所望のトポロジと比較することに基づいて、前記着目特徴の部分に適用されるべきＤＣＡの量を計算することと、
前記１つ以上のプロセッサによって、前記計算されたＤＣＡの量が前記着目特徴の前記部分に適用されるようにすることと
を含む、方法。
【請求項２】
前記着目特徴の前記所望の反射率および前記所望のトポロジを決定することは、高空間周波数の領域を前記着目特徴の前記実際の反射率および実際のトポロジから除去することを含む、請求項１に記載の方法。
【請求項３】
前記着目特徴は、歯であり、前記方法は、
前記１つ以上のプロセッサによって、前記歯の実際の向きを決定することと、
前記１つ以上のプロセッサによって、前記歯の所望の向きを決定することと、
前記１つ以上のプロセッサによって、前記歯に前記所望の向きを有する外観を与えるために、第２のＤＣＡの量および前記第２のＤＣＡの量を適用すべき前記歯の第２の部分を決定することと、
前記１つ以上のプロセッサによって、前記第２のＤＣＡの量が前記歯の前記第２の部分に適用されるようにすることと
をさらに含む、請求項１に記載の方法。
【請求項４】
前記着目特徴は、第１の歯であり、前記方法は、
前記１つ以上のプロセッサによって、前記画像内の第２の歯を識別することと、
前記１つ以上のプロセッサによって、前記第２の歯に対する前記第１の歯の実際の位置を決定することと、
前記１つ以上のプロセッサによって、前記第２の歯に対する前記第１の歯の所望の位置を決定することと、
前記１つ以上のプロセッサによって、前記第１の歯に前記第２の歯に対する前記所望の位置を有する外観を与えるために、第２のＤＣＡの量および前記第２のＤＣＡの量を適用すべき前記第１の歯の第２の部分を決定することと、
前記１つ以上のプロセッサによって、前記第２のＤＣＡの量が前記第１の歯の前記第２の部分に適用されるようにすることと
をさらに含む、請求項１に記載の方法。
【請求項５】
前記着目特徴は、歯であり、前記方法は、
前記１つ以上のプロセッサによって、前記画像内の前記歯と軟組織との間の界面を識別することと、
前記１つ以上のプロセッサによって、バリアＤＣＡが前記歯と前記軟組織との間の前記界面に適用されるようにすることと
をさらに含む、請求項１に記載の方法。
【請求項６】
前記歯と軟組織との間の前記界面は、前記画像内の色に基づいて識別される、請求項５に記載の方法。
【請求項７】
前記着目特徴は、軟組織である、請求項１に記載の方法。
【請求項８】
前記１つ以上のプロセッサによって、前記着目特徴の表面に衝突する光の平均方向を決定することをさらに含み、前記着目特徴の前記所望の反射率および所望のトポロジは、前記光の平均方向に基づいて決定される、請求項１に記載の方法。
【請求項９】
前記１つ以上のプロセッサによって、前記画像を歯科監視システムに送信することをさらに含む、請求項１に記載の方法。
【請求項１０】
前記１つ以上のプロセッサによって、前記着目特徴の歯科状態を識別することと、
前記１つ以上のプロセッサによって、前記歯科状態の指示を歯科監視システムに送信することと
をさらに含む、請求項１に記載の方法。
【請求項１１】
歯科処置剤（ＤＣＡ）を口の領域に選択的に適用するためのハンドヘルドデバイスであって、前記デバイスは、
少なくとも１つの画像発生器と、
前記少なくとも１つの画像発生器と通信している１つ以上のプロセッサと
を備え、
前記１つ以上のプロセッサは、
口の画像を受信することと、
前記画像内の着目特徴を識別することと、
前記着目特徴の実際の反射率および実際のトポロジを決定することと、
前記着目特徴の所望の反射率および所望のトポロジを決定することと、
前記実際の反射率を前記所望の反射率と比較することおよび前記実際のトポロジを前記所望のトポロジと比較することに基づいて、前記着目特徴の部分に適用されるべきＤＣＡの量を計算することと、
前記計算されたＤＣＡの量が前記着目特徴の前記部分に適用されるようにすることと
を含む動作を実施するように動作可能である、デバイス。
【請求項１２】
前記着目特徴の前記所望の反射率および前記所望のトポロジを決定することは、高空間周波数の領域を前記着目特徴の前記実際の反射率および実際のトポロジから除去することを含む、請求項１１に記載のデバイス。
【請求項１３】
前記着目特徴は、歯であり、前記動作は、
前記歯の実際の向きを決定することと、
前記歯の所望の向きを決定することと、
前記歯に前記所望の向きを有する外観を与えるために、第２のＤＣＡの量および前記第２のＤＣＡの量を適用すべき前記歯の第２の部分を決定することと、
前記第２のＤＣＡの量が前記歯の前記第２の部分に適用されるようにすることと
をさらに含む、請求項１１に記載のデバイス。
【請求項１４】
前記着目特徴は、第１の歯であり、前記動作は、
前記画像内の第２の歯を識別することと、
前記第２の歯に対する前記第１の歯の実際の位置を決定することと、
前記第２の歯に対する前記第１の歯の所望の位置を決定することと、
前記第１の歯に前記第２の歯に対する前記所望の位置を有する外観を与えるために、第２のＤＣＡの量および前記第２のＤＣＡの量を適用すべき前記第１の歯の第２の部分を決定することと、
前記第２のＤＣＡの量が前記第１の歯の前記第２の部分に適用されるようにすることと
をさらに含む、請求項１１に記載のデバイス。
【請求項１５】
前記着目特徴は、歯であり、前記動作は、
前記画像内の前記歯と軟組織との間の界面を識別することと、
バリアＤＣＡが前記歯と前記軟組織との間の前記界面に適用されるようにすることと
をさらに含む、請求項１１に記載のデバイス。
【請求項１６】
前記歯と軟組織との間の前記界面は、前記画像内の色に基づいて識別される、請求項１５に記載のデバイス。
【請求項１７】
前記動作は、
前記画像内の軟組織を識別することと、
前記軟組織の反射率を決定することと、
前記軟組織の所望の反射率を決定することと、
前記軟組織の実際の反射率と前記軟組織の所望の反射率とを比較することに基づいて、前記軟組織の部分に適用されるべきＤＣＡの量を計算することと、
前記ＤＣＡの量が前記軟組織の前記部分に適用されるようにすることと
をさらに含む、請求項１１に記載のデバイス。
【請求項１８】
前記動作は、前記着目特徴の表面に衝突する光の平均方向を決定することをさらに含み、前記着目特徴の所望の反射率および所望のトポロジは、前記光の平均方向に基づいて決定される、請求項１１に記載のデバイス。
【請求項１９】
前記動作は、前記画像を歯科監視システムに送信することをさらに含む、請求項１１に記載のデバイス。
【請求項２０】
前記動作は、
前記着目特徴の歯科状態を識別することと、
前記歯科状態の指示を歯科監視システムに送信することと
をさらに含む、請求項１１に記載のデバイス。
【請求項２１】
１つ以上のプロセッサに結合されている非一過性コンピュータ読み取り可能な記憶媒体であって、前記媒体は、命令を記憶しており、前記命令は、前記１つ以上のプロセッサによって実行されると、前記１つ以上のプロセッサに歯科処置剤（ＤＣＡ）を口の領域に選択的に適用するための動作を実施させ、前記動作は、
口の画像を受信することと、
前記画像内の着目特徴を識別することと、
前記着目特徴の実際の反射率および実際のトポロジを決定することと、
前記着目特徴の所望の反射率および所望のトポロジを決定することと、
前記実際の反射率を前記所望の反射率と比較することおよび前記実際のトポロジを前記所望のトポロジと比較することに基づいて、前記着目特徴の部分に適用されるべきＤＣＡの量を計算することと、
前記計算されたＤＣＡの量が前記着目特徴の前記部分に適用されるようにすることと
を含む、媒体。
【請求項２２】
前記着目特徴の前記所望の反射率および前記所望のトポロジを決定することは、高空間周波数の領域を前記着目特徴の前記実際の反射率および実際のトポロジから除去することを含む、請求項２１に記載の媒体。
【請求項２３】
前記着目特徴は、歯であり、前記動作は、
前記歯の実際の向きを決定することと、
前記歯の所望の向きを決定することと、
前記歯に前記所望の向きを有する外観を与えるために、第２のＤＣＡの量および前記第２のＤＣＡの量を適用すべき前記歯の第２の部分を決定することと、
前記第２のＤＣＡの量が前記歯の前記第２の部分に適用されるようにすることと
をさらに含む、請求項２１に記載の媒体。
【請求項２４】
前記着目特徴は、第１の歯であり、前記動作は、
前記画像内の第２の歯を識別することと、
前記第２の歯に対する前記第１の歯の実際の位置を決定することと、
前記第２の歯に対する前記第１の歯の所望の位置を決定することと、
前記第１の歯に前記第２の歯に対する前記所望の位置を有する外観を与えるために、第２のＤＣＡの量および前記第２のＤＣＡの量を適用すべき前記第１の歯の第２の部分を決定することと、
前記第２のＤＣＡの量が前記第１の歯の前記第２の部分に適用されるようにすることと
をさらに含む、請求項２１に記載の媒体。
【請求項２５】
前記着目特徴は、歯であり、前記動作は、
前記画像内の前記歯と軟組織との間の界面を識別することと、
バリアＤＣＡが前記歯と前記軟組織との間の前記界面に適用されるようにすることと
をさらに含む、請求項２１に記載の媒体。
【請求項２６】
前記歯と軟組織との間の前記界面は、前記画像内の色に基づいて識別される、請求項２５に記載の媒体。
【請求項２７】
前記動作は、
前記画像内の軟組織を識別することと、
前記軟組織の反射率を決定することと、
前記軟組織の所望の反射率を決定することと、
前記軟組織の実際の反射率と前記軟組織の所望の反射率とを比較することに基づいて、前記軟組織の部分に適用されるべきＤＣＡの量を計算することと、
前記ＤＣＡの量が前記軟組織の前記部分に適用されるようにすることと
をさらに含む、請求項２１に記載の媒体。
【請求項２８】
前記動作は、前記着目特徴の表面に衝突する光の平均方向を決定することをさらに含み、前記着目特徴の前記所望の反射率および所望のトポロジは、前記光の平均方向に基づいて決定される、請求項２１に記載の媒体。
【請求項２９】
前記動作は、前記画像を歯科監視システムに送信することをさらに含む、請求項２１に記載の媒体。
【請求項３０】
前記動作は、
前記着目特徴の歯科状態を識別することと、
前記歯科状態の指示を歯科監視システムに送信することと
をさらに含む、請求項２１に記載の媒体。
【手続補正２】
【補正対象書類名】明細書
【補正対象項目名】００１３
【補正方法】変更
【補正の内容】
【００１３】
本開示の１つ以上の実施形態の詳細は、付随の図面および以下の説明に記載される。本開示の他の特徴および利点は、説明および図面ならびに請求項から明白となるであろう。
本発明は、例えば、以下を提供する。
（項目１）
歯科処置剤（ＤＣＡ）を口の領域に選択的に適用するために１つ以上のプロセッサによって実行されるコンピュータ実装方法であって、前記方法は、
前記１つ以上のプロセッサによって、前記口の領域の画像を受信することと、
前記画像内の着目特徴を識別することと、
前記１つ以上のプロセッサによって、前記着目特徴の実際の反射率および実際のトポロジを決定することと、
前記１つ以上のプロセッサによって、前記着目特徴の所望の反射率および所望のトポロジを決定することと、
前記１つ以上のプロセッサによって、前記実際の反射率を前記所望の反射率と比較することおよび前記実際のトポロジを前記所望のトポロジと比較することに基づいて、前記着目特徴の部分に適用されるべきＤＣＡの量を計算することと、
前記１つ以上のプロセッサによって、前記計算されたＤＣＡの量が前記着目特徴の前記部分に適用されるようにすることと
を含む、方法。
（項目２）
前記着目特徴の前記所望の反射率および前記所望のトポロジを決定することは、高空間周波数の領域を前記着目特徴の実際の反射率および実際のトポロジから除去することを含む、項目１に記載の方法。
（項目３）
前記着目特徴は、歯であり、前記方法は、
前記歯の実際の向きを決定することと、
前記歯の所望の向きを決定することと、
前記歯に前記所望の向きを有する外観を与えるために、第２のＤＣＡの量および前記第２のＤＣＡの量を適用すべき前記歯の第２の部分を決定することと、
前記第２のＤＣＡの量が前記歯の前記第２の部分に適用されるようにすることと
をさらに含む、項目１に記載の方法。
（項目４）
前記着目特徴は、第１の歯であり、前記方法は、
前記画像内の第２の歯を識別することと、
前記第２の歯に対する前記第１の歯の実際の位置を決定することと、
前記第２の歯に対する前記第１の歯の所望の位置を決定することと、
前記第１の歯に前記第２の歯に対する前記所望の位置を有する外観を与えるために、第２のＤＣＡの量および前記第２のＤＣＡの量を適用すべき前記第１の歯の第２の部分を決定することと、
前記第２のＤＣＡの量が前記第１の歯の第２の部分に適用されるようにすることと
をさらに含む、項目１に記載の方法。
（項目５）
前記着目特徴は、歯であり、前記方法は、
前記画像内の前記歯と軟組織との間の界面を識別することと、
バリアＤＣＡが前記歯と前記軟組織との間の前記界面に適用されるようにすることと
をさらに含む、項目１に記載の方法。
（項目６）
前記歯と軟組織との間の前記界面は、前記画像内の色に基づいて識別される、項目５に記載の方法。
（項目７）
前記着目特徴は、軟組織である、項目１に記載の方法。
（項目８）
前記着目特徴の表面に衝突する光の平均方向を決定することをさらに含み、前記着目特徴の前記所望の反射率および所望のトポロジは、前記光の平均方向に基づいて決定される、項目１に記載の方法。
（項目９）
前記画像を歯科監視システムに送信することをさらに含む、項目１に記載の方法。
（項目１０）
前記着目特徴の歯科状態を識別することと、
前記歯科状態の指示を歯科監視システムに送信することと
をさらに含む、項目１に記載の方法。
（項目１１）
歯科処置剤（ＤＣＡ）を口の領域に選択的に適用するためのハンドヘルドデバイスであって、前記デバイスは、
少なくとも１つの画像発生器と、
前記少なくとも１つの画像発生器と通信している１つ以上のプロセッサと
を備え、
前記１つ以上のプロセッサは、
口の画像を受信することと、
前記画像内の着目特徴を識別することと、
前記着目特徴の実際の反射率および実際のトポロジを決定することと、
前記着目特徴の所望の反射率および所望のトポロジを決定することと、
前記実際の反射率を前記所望の反射率と比較することおよび前記実際のトポロジを前記所望のトポロジと比較することに基づいて、前記着目特徴の部分に適用されるべきＤＣＡの量を計算することと、
前記計算されたＤＣＡの量が前記着目特徴の部分に適用されるようにすることと
を含む動作を実施するように動作可能である、デバイス。
（項目１２）
前記着目特徴の前記所望の反射率および前記所望のトポロジを決定することは、高空間周波数の領域を前記着目特徴の実際の反射率および実際のトポロジから除去することを含む、項目１１に記載のデバイス。
（項目１３）
前記着目特徴は、歯であり、前記動作は、
前記歯の実際の向きを決定することと、
前記歯の所望の向きを決定することと、
前記歯に前記所望の向きを有する外観を与えるために、第２のＤＣＡの量および前記第２のＤＣＡの量を適用すべき前記歯の第２の部分を決定することと、
前記第２のＤＣＡの量が前記歯の前記第２の部分に適用されるようにすることと
をさらに含む、項目１１に記載のデバイス。
（項目１４）
前記着目特徴は、第１の歯であり、前記動作は、
前記画像内の第２の歯を識別することと、
前記第２の歯に対する前記第１の歯の実際の位置を決定することと、
前記第２の歯に対する前記第１の歯の所望の位置を決定することと、
前記第１の歯に前記第２の歯に対する前記所望の位置を有する外観を与えるために、第２のＤＣＡの量および前記第２のＤＣＡの量を適用すべき前記第１の歯の第２の部分を決定することと、
前記第２のＤＣＡの量が前記第１の歯の前記第２の部分に適用されるようにすることと
をさらに含む、項目１１に記載のデバイス。
（項目１５）
前記着目特徴は、歯であり、前記動作は、
前記画像内の前記歯と軟組織との間の界面を識別することと、
バリアＤＣＡが前記歯と前記軟組織との間の前記界面に適用されるようにすることと
をさらに含む、項目１１に記載のデバイス。
（項目１６）
前記歯と軟組織との間の前記界面は、前記画像内の色に基づいて識別される、項目１５に記載のデバイス。
（項目１７）
前記動作は、
前記画像内の軟組織を識別することと、
前記軟組織の反射率を決定することと、
前記軟組織の所望の反射率を決定することと、
前記軟組織の実際の反射率と前記軟組織の所望の反射率とを比較することに基づいて、前記軟組織の部分に適用されるべきＤＣＡの量を計算することと、
前記ＤＣＡの量が前記軟組織の前記部分に適用されるようにすることと
をさらに含む、項目１１に記載のデバイス。
（項目１８）
前記動作は、前記着目特徴の表面に衝突する光の平均方向を決定することをさらに含み、前記着目特徴の所望の反射率および所望のトポロジは、前記光の平均方向に基づいて決定される、項目１１に記載のデバイス。
（項目１９）
前記動作は、前記画像を歯科監視システムに送信することをさらに含む、項目１１に記載のデバイス。
（項目２０）
前記動作は、
前記着目特徴の歯科状態を識別することと、
前記歯科状態の指示を歯科監視システムに送信することと
をさらに含む、項目１１に記載のデバイス。
（項目２１）
１つ以上のプロセッサに結合されている非一過性コンピュータ読み取り可能な記憶媒体であって、前記媒体は、命令を記憶しており、前記命令は、前記１つ以上のプロセッサによって実行されると、前記１つ以上のプロセッサに歯科処置剤（ＤＣＡ）を口の領域に選択的に適用するための動作を実施させ、前記動作は、
口の画像を受信することと、
前記画像内の着目特徴を識別することと、
前記着目特徴の実際の反射率および実際のトポロジを決定することと、
前記着目特徴の所望の反射率および所望のトポロジを決定することと、
前記実際の反射率を前記所望の反射率と比較することおよび前記実際のトポロジを前記所望のトポロジと比較することに基づいて、前記着目特徴の部分に適用されるべきＤＣＡの量を計算することと、
前記計算されたＤＣＡの量が前記着目特徴の部分に適用されるようにすることと
を含む、媒体。
（項目２２）
前記着目特徴の前記所望の反射率および前記所望のトポロジを決定することは、高空間周波数の領域を前記着目特徴の実際の反射率および実際のトポロジから除去することを含む、項目２１に記載の媒体。
（項目２３）
前記着目特徴は、歯であり、前記動作は、
前記歯の実際の向きを決定することと、
前記歯の所望の向きを決定することと、
前記歯に前記所望の向きを有する外観を与えるために、第２のＤＣＡの量および前記第２のＤＣＡの量を適用すべき前記歯の第２の部分を決定することと、
前記第２のＤＣＡの量が前記歯の前記第２の部分に適用されるようにすることと
をさらに含む、項目２１に記載の媒体。
（項目２４）
前記着目特徴は、第１の歯であり、前記動作は、
前記画像内の第２の歯を識別することと、
前記第２の歯に対する前記第１の歯の実際の位置を決定することと、
前記第２の歯に対する前記第１の歯の所望の位置を決定することと、
前記第１の歯に前記第２の歯に対する前記所望の位置を有する外観を与えるために、第２のＤＣＡの量および前記第２のＤＣＡの量を適用すべき前記第１の歯の第２の部分を決定することと、
前記第２のＤＣＡの量が前記第１の歯の前記第２の部分に適用されるようにすることと
をさらに含む、項目２１に記載の媒体。
（項目２５）
前記着目特徴は、歯であり、前記動作は、
前記画像内の前記歯と軟組織との間の界面を識別することと、
バリアＤＣＡが前記歯と前記軟組織との間の前記界面に適用されるようにすることと
をさらに含む、項目２１に記載の媒体。
（項目２６）
前記歯と軟組織との間の前記界面は、前記画像内の色に基づいて識別される、項目２５に記載の媒体。
（項目２７）
前記動作は、
前記画像内の軟組織を識別することと、
前記軟組織の反射率を決定することと、
前記軟組織の所望の反射率を決定することと、
前記軟組織の実際の反射率と前記軟組織の所望の反射率とを比較することに基づいて、前記軟組織の部分に適用されるべきＤＣＡの量を計算することと、
前記ＤＣＡの量が前記軟組織の前記部分に適用されるようにすることと
をさらに含む、項目２１に記載の媒体。
（項目２８）
前記動作は、前記着目特徴の表面に衝突する光の平均方向を決定することをさらに含み、前記着目特徴の前記所望の反射率および所望のトポロジは、前記光の平均方向に基づいて決定される、項目２１に記載の媒体。
（項目２９）
前記動作は、前記画像を歯科監視システムに送信することをさらに含む、項目２１に記載の媒体。
（項目３０）
前記動作は、
前記着目特徴の歯科状態を識別することと、
前記歯科状態の指示を歯科監視システムに送信することと
をさらに含む、項目２１に記載の媒体。